(57)【特許請求の範囲】
【請求項１】
軽量形綱よりなる縦枠と横枠とを交差方向に連結するための連結構造であって、
前記縦枠および横枠の内の一方側の枠にビス貫通孔を形成する一方、
前記縦枠および横枠の内の他方側の枠の部材端部に対し、部材長手方向に所定の間隔をおいて列状に幅方向に沿う切込み線を形成するとともに、部材端縁と前記切込み線とに挟まれた連架部、および切込み線と切込み線とに挟まれた連架部を部材端側から順に、枠材の板面を境に一方側と他方側とに交互に略半円弧状に曲げ加工してビスホールを形成し、
前記縦枠および横枠の内の一方側の枠に形成された前記貫通孔から連結用ビスのネジ部を貫通するとともに、前記縦枠および横枠の内の他方側の枠に形成された前記ビスホールに前記ネジ部を螺入し連結したことを特徴とする縦枠と横枠との連結構造。
【請求項２】
前記ビスホールの各連架部は、略半円弧状の板面が同一内径となるように形成されている請求項１記載の縦枠と横枠との連結構造。
【請求項３】
前記ビスホールの各連架部は、略半円弧状の板面がビスホールの深部側に向かって内径を狭めるようにテーパ状に形成されている請求項１記載の縦枠と横枠との連結構造。
【発明の詳細な説明】
【０００１】
【発明の属する技術分野】
本発明は、軽量形鋼よりなる縦枠と横枠とを交差方向に連結するための連結構造に関する。
【０００２】
【従来の技術】
従来より、縦枠と横枠とを交差方向に連結する構造としては種々のものが知られている。
【０００３】
例えば、枠材がアルミニウム合金からなる押出し成型材のものにあっては、図１０に示されるように、横枠５１にビスホール５３，５３を押出成形時に一体的に形成しておき、図９に示されるように、縦枠５２に形成したビス貫通孔５２ａにビス５４のネジ部を貫通し前記横枠５１のビスホール５３に螺入して連結する構造が知られている。
【０００４】
しかし、前述の例に示す連結構造は、枠材が押出成型による枠材の場合には採用可能であるが、軽量型材、すなわち帯板から冷間でロール成形法（ロールフォーミング）により製造した形鋼の場合には採用できないという問題があった。
【０００５】
そのため、特開２０００−１９２６０７号公報では、図１１に示されるように、横枠６２の端部開口に、外面側に係合片６４ｃが形成された枠用接続具６４を嵌入して設けるとともに、縦枠６３に対して係合孔６３ｄを形成しておき、前記横枠６２の端部開口に嵌入設置された枠用接続具６４の係合片６４ｃを前記縦枠６３の係合孔６３ｄに対して上方側からの落し込みによって係合させながら連結する縦枠と横枠との連結構造が提案されている。
【０００６】
【発明が解決しようとする課題】
しかしながら、前記特開２０００−１９２６０７号記載の連結構造においては、横枠と縦枠との連結に際して、枠用接続具６４が必要とされるため、連結用部材の品数が増えてしまう。また、部材品数が増えれば、その分連結にも手間が掛かるとともに、材料費も余分に必要となって、コスト高になるという問題があった。
【０００７】
そこで、本発明の主たる課題は、軽量形鋼からなる縦枠と横枠との連結に当たっても、押出成型枠材と同様に、ビスのみで前記横枠と縦枠との連結を可能とした連結構造を提供することにある。
【０００８】
【課題を解決するための手段】
前記課題を解決するための本発明は、軽量形綱よりなる縦枠と横枠とを交差方向に連結するための連結構造であって、
前記縦枠および横枠の内の一方側の枠にビス貫通孔を形成する一方、
前記縦枠および横枠の内の他方側の枠の部材端部に対し、部材長手方向に所定の間隔をおいて列状に幅方向に沿う切込み線を形成するとともに、部材端縁と前記切込み線とに挟まれた連架部、および切込み線と切込み線とに挟まれた連架部を部材端側から順に、枠材の板面を境に一方側と他方側とに交互に略半円弧状に曲げ加工してビスホールを形成し、
前記縦枠および横枠の内の一方側の枠に形成された前記貫通孔から連結用ビスのネジ部を貫通するとともに、前記縦枠および横枠の内の他方側の枠に形成された前記ビスホールに前記ネジ部を螺入し連結したことを特徴とするものである。
【０００９】
この場合において、前記ビスホールの各連架部は、略半円弧状の板面が同一内径となるように形成しても良いし、略半円弧状の板面がビスホールの深部側に向かって内径を狭めるようにテーパ状に形成するようにしてもよい。
【００１０】
なお、前記「軽量形鋼」とは、帯板から冷間でロール成形法（ロールフォーミング）により製造した各種断面の形鋼を言い、断面形状としては例えば、みぞ形鋼、山形鋼、リップ溝形鋼、リップ山形鋼などのものがある。
【００１１】
【発明の実施の形態】
以下、本発明の実施の形態について図面を参照しながら詳述する。
図１は本発明に係る連結構造によって縦枠と横枠とを連結し枠フレーム２を構成した場合の平面図であり、図２は図１のII−II線矢視図、図３は図１のIII部拡大図、図４は横枠の側面図および底面図である。
【００１２】
壁パネルは、耐水性、耐湿性および美観性など浴室壁面に要求される機能を備えた表面板１と、この表面板１の裏面側に接着される縦枠３Ａ、３Ｂおよび横枠４Ａ、４Ｂからなる方形状の枠フレーム２と、この枠フレーム２の内部において前記表面板１の裏面に接着される石膏ボードなどの断熱板（図１では図示せず）と、から構成されるパネルユニットである。
【００１３】
前記縦枠３Ａ、３Ｂおよび横枠４Ａ、４Ｂは共に、図３等に示されるように、所定断面形状、図示例ではリップ溝形断面の軽量形鋼が使用され、ビス６，６…により相互に連結され、方形状の枠フレーム２が構成されている。
【００１４】
縦枠３Ａ、３Ｂには、図２に示されるように、枠端部にそれぞれビス貫通孔３ａ、３ａが設けられており、これらビス貫通孔３ａ、３ａを連結用ビス（以下、単にビスという。）６が貫通して、後述のビスホール５を有する横枠４Ａ、４Ｂと接続される。なお、図示例では、補助横枠（図示せず）が必要になった場合に備えて、前記貫通孔３ａ、３ａの内側位置に貫通孔３ｂ、３ｂ、…が形成されている。
【００１５】
一方、前記横枠４Ａ、４Ｂは、図４に示されるように、枠の両端部にそれぞれ前記ビス６のネジ部６ａの長さ以上の区間に亘ってビスホール５が形成されている。
【００１６】
前記ビスホール５は、詳細には図６に示されるように、部材長手方向に所定の間隔をおいて列状に幅方向に沿う切込み線５ａ、５ａ…を形成するとともに、部材端縁と前記切込み線５ａとに挟まれた連架部５ｂ、および切込み線５ａと切込み線５ａとに挟まれた連架部５ｃ、５ｃ…を部材端から順に、枠材の板面を境に一方側と他方側とに交互に略半円弧状に曲げ加工して形成されたビスホールである。
【００１７】
このビスホール５は、押出し成形型材のように部材長手方向に連続したビスホールとはならないが、不連続ながらも前記連架部５ｂ、５ｃ…によって、部材長手方向に連続する擬似円形孔が形成され、ビスホールとして十分に機能し得るものとなる。
【００１８】
前記ビスホール５の形成態様としては、図６に示されるように、前記ビスホール５の各連架部５ｂ、５ｃ…において、略半円弧状の板面が同一内径となるうに形成するようにしてもよいし、図７に示されるように、前記ビスホール５の各連架部５ｂ、５ｃ…において、略半円弧状の板面が深部側に向かって内径を狭めるようにテーパ状に形成するようにしてもよい。特に後者のように各連架部５ｂ、５ｃ…をテーパ状に形成した場合には、各連架部５ｂ、５ｃ…のビスホール５の深部がわ縁部がビス６のネジ山に刻入するようになり、ビス６の抜止めを図るようになる。
【００１９】
壁パネルの組立に当たっては、図１および図３に示されるように、前記縦枠３Ａ、３Ｂに形成された前記貫通孔３ａ、３ａから連結用ビス６のネジ部６ａを貫通させるとともに、前記横枠４Ａ、４Ｂに形成された前記ビスホール５に前記ネジ部６ａを螺入して連結し、方形状の枠フレーム２を完成させる。この枠フレーム２を表面板１の裏側に接着し、枠フレーム２の内部に断熱材７を接着剤により貼り合わせて組み立てを完了する。
【００２０】
【発明の効果】
以上詳説のとおり本発明によれば、軽量形鋼からなる縦枠と横枠との連結に当たっても、押出成型枠材の場合と同様に、ビスのみで前記縦枠と横枠との連結が可能となる。
【図面の簡単な説明】
【図１】本発明に係る連結構造によって縦枠と横枠とを連結し枠フレーム２を構成した場合の平面図である。
【図２】縦枠３Ａ（３Ｂ）の正面図（図１のII−II線矢視図）である。
【図３】縦枠３Ａと横枠４Ｂとの連結構造を示す要部拡大図（図１のIII部拡大図）である。
【図４】横枠４Ａ（４Ｂ）の（Ａ）は側面図、（Ｂ）は底面図である。
【図５】横枠４Ａ（４Ｂ）の正面図である。
【図６】ビスホール５部分の縦断面図である。
【図７】ビスホール５の他の形成態様を示す縦断面図である。
【図８】壁パネルの組立要領を示す分解図である。
【図９】従来の連結構造を示す縦断面図である。
【図１０】その横枠５１の断面図である。
【図１１】従来の軽量形綱からなる縦枠と横枠との連結構造を示す要部正面図である。
【符号の説明】
１…表面板、２…枠フレーム、３Ａ・３Ｂ…縦枠、４Ａ・４Ｂ…横枠、５…ビスホール、５ａ…切込み線、５ｂ・５ｃ…連架部、６…連結用ビス、６ａ…ネジ部、７…断熱材
【図１】
0004493220.tif 000002
【図２】
0004493220.tif 000003
【図３】
0004493220.tif 000004
【図４】
0004493220.tif 000005
【図５】
0004493220.tif 000006
【図６】
0004493220.tif 000007
【図７】
0004493220.tif 000008
【図８】
0004493220.tif 000009
【図９】
0004493220.tif 000010
【図１０】
0004493220.tif 000011
【図１１】
0004493220.tif 000012